(57)【要約】【課題】回路遮断器に収納されたトリップボタンを押すことによりトリップレバーを回動させ、引き外し機構が動作して可動接触子を開離させる回路遮断器のトリップボタン装置において、簡素で安価な構成でトリップボタン装置を提供する。【解決手段】回路遮断器１に収納されたトリップボタン２を押圧することによりトリップレバー３を回動させ、引き外し機構が動作して可動接触子５を開離させる回路遮断器１のトリップボタン装置において、トリップボタン２を押圧前位置に復帰させる復帰バネ２ｃと一体的に形成させた。また、トリップボタン２０が押圧されたときにトリップボタン２０を押圧方向に案内する案内部材４０と、トリップボタン２０を押圧前位置に復帰させる復帰バネ４０ｂとを一体的に形成させた。【選択図】        図１
2004179096.tif 000002
【特許請求の範囲】
【請求項１】
回路遮断器に収納されたトリップボタンを押圧することによりトリップレバーを回動させ、開閉機構の係合を解いて可動接触子を開離させる回路遮断器のトリップボタン装置において、
前記トリップボタンを押圧前位置に復帰させる復帰バネを前記トリップボタンと一体的に形成させたことを特徴とする回路遮断器のトリップボタン装置。
【請求項２】
トリップボタンと復帰バネが熱可塑性樹脂成形品で形成されたことを特徴とする請求項１記載の回路遮断器のトリップボタン装置。
【請求項３】
回路遮断器に収納されたトリップボタンを押圧することによりトリップレバーを回動させ、開閉機構の係合を解いて可動接触子を開離させる回路遮断器のトリップボタン装置において、
前記トリップボタンが押圧されたときに前記トリップボタンを押圧方向に案内する案内部材と前記トリップボタンを押圧前位置に復帰させる復帰バネを前記案内部材と一体的に形成させたことを特徴とする回路遮断器のトリップボタン装置。
【請求項４】
案内部材と復帰バネが熱可塑性樹脂成形品で形成されたことを特徴とする請求項３記載の回路遮断器のトリップボタン装置。
【発明の詳細な説明】
【０００１】
【発明の属する技術分野】
本発明は、配線用遮断器や漏電遮断器などの回路遮断器を手動操作によりトリップさせるためのトリップボタン装置に関する。
【０００２】
【従来の技術】
従来の回路遮断器のトリップボタン装置においては、回路遮断器に収納されるトリップボタンを押圧操作してトリップボタンの傾斜面でクロスバーの突起を押すことにより回路遮断器をトリップ動作させる構成にしている。（例えば、特許文献１参照）。
【０００３】
【特許文献１】
特開平５−５４７８４号公報（図１）
【０００４】
【発明が解決しようとする課題】
従来の装置は以上のように構成されており、部品数が多く、高価となると共に、制約スペースが多い所ではトリップボタン装置の構成が困難であった。
また、ベース、カバーは、クロスバー、トリップボタン、復帰用バネなどの各部材を保持するための構造とする必要があった。
【０００５】
この発明は、上述のような問題点を解決するためになされたもので、安定したトリップ操作と簡素で安価な構成となるトリップボタン装置を提供することを目的としている。
【０００６】
【課題を解決するための手段】
この発明に係る回路遮断器のトリップボタン装置は、トリップボタンを押圧前位置に復帰させる復帰バネを前記トリップボタンと一体的に形成させたものである。
【０００７】
【発明の実施の形態】
実施の形態１．
図１は、この発明の実施の形態１におけるトリップボタン装置を組み込んだ回路遮断器の側断面図、図２は、図１のトリップボタン装置の拡大斜視図、図３は、図２のトリップボタン装置のトリップボタンの拡大斜視図である。
【０００８】
図において、回路遮断器１にはトリップ動作させるためのトリップボタン装置が収納されており、トリップボタン装置は、トリップ動作時に押圧するトリップボタン２、及びトリップボタン２を案内してトリップレバー３に作用させる案内部材４により構成され、トリップレバー３が回動すると図示しない引き外し機構が動作して可動接触子５により回路が開路される。
【０００９】
トリップボタン２は、回路遮断器１の外部よりトリップ動作させるために押圧する頭部２ａと、トリッレバー３を押圧する押圧部２ｂと、押圧前位置に復帰するための蛇腹状に形成された復帰バネ２ｃとにより一体的に形成され、例えば、ＰＢＴ（ポリブチレンテレフタート）、ＰＥＴ（ポリエチレンテレフタート）等の熱可塑性樹脂材料により一体成型されている。
【００１０】
また、案内部材４は、トリップボタン２の押圧部２ｂが押圧されたときにトリップボタン２を押圧された方向にトリップレバー３を導く案内部４ａと、トリップボタン２の復帰バネ２ｃを受けるバネ受け部４ｂ、回路遮断器１に固定させるための固定部４ｃを備えている。
【００１１】
次に、回路遮断器１のトリップ動作について説明する。
トリップボタン２の頭部２ａを矢印Ａ方向（図１に示す）から押圧することにより、トリップボタン２の復帰バネ２ｃが圧縮され、トリップボタン２が案内部材４の案内部４ａに沿って矢印Ｂ方向（図２に示す）へ移動し、トリップボタン２の押圧部２ｂがトリップレバー３を押圧することにより、トリップレバー３を矢印Ｃ方向（図１に示す）に回動させる。これにより、回路遮断器１の図示しない引き外し機構が動作して可動接触子５を開離させる。その後、トリップボタン２の押圧を中止することで、復帰バネ２ｃの復帰力により、トリップボタン２は押圧前位置に復帰する。
【００１２】
以上のように構成された実施の形態１における回路遮断器のトリップボタン装置は、トリップボタン２と復帰バネ２ｃが一体的に形成されているので、簡素で安価な構成でトリップボタン装置を提供することができる。
【００１３】
実施の形態２．
図４は、この発明の実施の形態２におけるトリップボタン装置の拡大斜視図、図５は図４のトリップボタン装置のトリップボタンの拡大斜視図である。
【００１４】
図において、トリップボタン装置は、トリップ動作時に押圧するトリップボタン２０、及びトリップボタン２０を案内してトリップレバー３に作用させる案内部材４０により構成され、トリップレバー３が回動すると図示しない引き外し機構が動作して可動接触子５により回路が開路される。
【００１５】
トリップボタン２０は、回路遮断器１の外部よりトリップ動作させるために押圧する頭部２０ａと、トリッレバー３を押圧する押圧部２０ｂと、案内部材４０の復帰バネ４０ｂを受けるバネ受け部２０ｃにより一体的に形成されている。
【００１６】
また、案内部材４０は、トリップボタン２０の押圧部２０ｂをトリップレバー３に導く案内部４０ａと、トリップボタン２０を押圧前位置に復帰するための蛇腹状に形成された復帰バネ４０ｂにより一体的に形成され、例えば、ＰＢＴ（ポリブチレンテレフタート）、ＰＥＴ（ポリエチレンテレフタート）等の熱可塑性樹脂材料により一体成型されている。
【００１７】
なお、動作については、実施の形態１がトリップボタン２に復帰バネ２ｃを一体に形成させているのに対して、実施の形態２では、案内部材４０に復帰バネ４０ｂを一体に形成させているものであり、動作については、実施の形態１と同様であり説明を省略する。
【００１８】
以上のように構成された実施の形態２における回路遮断器のトリップボタン装置は、案内部材と復帰バネが一体的に形成されているので、簡素で安価な構成でトリップボタン装置を提供することができる。
【００１９】
【発明の効果】
回路遮断器に収納されたトリップボタン装置のトリップボタンを押圧することによりトリップレバーを回動させ、開閉機構の係合を解いて可動接触子を開離させる回路遮断器のトリップボタン装置において、前記トリップボタンを押圧前位置に復帰させる復帰バネを前記トリップボタンと一体的に形成させたので、簡素で安価な構成でトリップボタン装置を提供することができる。
【図面の簡単な説明】
【図１】この発明の実施の形態１におけるトリップボタン装置を組み込んだ回路遮断器の側断面図である。
【図２】図１のトリップボタン装置の拡大斜視図である。
【図３】図２のトリップボタン装置のトリップボタンの拡大斜視図である。
【図４】この発明の実施の形態２におけるトリップボタン装置の拡大斜視図である。
【図５】図４のトリップボタン装置のトリップボタンの拡大斜視図である。
【符号の説明】
１  回路遮断器、２，２０  トリップボタン、２ａ，２０ａ  頭部、
２ｂ，２０ｂ  押圧部、２ｃ，４０ｂ  復帰バネ、３  トリップレバー、
４，４０  案内部材、４ａ，４０ａ  案内部、４ｂ，２０ｃ  バネ受け部、
４ｃ，４０ｃ  固定部、５  可動接触子。
【図１】
2004179096.tif 000003
【図２】
2004179096.tif 000004
【図３】
2004179096.tif 000005
【図４】
2004179096.tif 000006
【図５】
2004179096.tif 000007